(57)【要約】【課題】折畳み自転車で、折り畳み時、結束状態を維持する係合維持装置が設けられているものがあるが、結束状態で施錠できるものがなかった。一般に、折り畳み自転車は車輪が小径であるため、フレームに錠装置が施しにくく、また折り畳んだ状態より簡単に乗車使用状態にできるため、いたずらや乗り逃げ等の心配があった。【解決手段】折り畳み自転車用フレームに錠装置を兼ねた結束装置を設け、折り畳んだフレームがワンタッチで簡単に結束されると同時に自動的に施錠される方法を見出した。【選択図】  図４
2004352241.tif 000002
【特許請求の範囲】
【請求項１】
二つ折りになる折畳み自転車で、前フレームを後ろフレームに重ね合わせるように折畳んだ際に結束具により折畳んだフレームが固定され、持ち運びの際に便利な折り畳み自転車用フレーム。
【請求項２】
結束具に錠装置を施した請求項１の折畳み自転車用フレーム。
【発明の詳細な説明】
【技術分野】
【０００１】  本発明は、フレームに結束具を取り付け、また結束具に施錠装置を施した折畳み自転車用のフレームに関する。
【背景技術】
【０００２】  一般に、折畳み自転車は、前フレームを後ろフレー厶に重ね合わせるように二つ折りに折畳まれる。また、一般的に折畳み自転車は施錠装置がない。
【発明の開示】
【発明が解決しようとする課題】
【０００３】  一般的な折畳み自転車は、前フレームと後ろフレームが重なり合うように折畳む方式のものが多いが、折畳んだ状態で固定する結束具がなく、折畳んで持ち運ぶ際にバラバラになり、持ちにくかった。そのため、マジックテープの付いたベルト等で重ね合わせた前フレームと後ろフレー厶または前車輪と後ろ車輪を結束して持ち運ぶことがあった。また、一般的に折畳み自転車には施錠装置がなかった。【０００４】  本発明は、折畳んだ際にバラバラにならない結束具を有し、その結束具に施錠装置を施した折畳み自転車用フレームの提供を目的とする。
【課題を解決する為の手段】
【０００５】  本発明は、フレームに結束具を付け、折畳んだ際に前フレームと後ろフレームが簡単に固定される方法を見出した。また、結束具に施錠装置を施し、簡単に施錠できる方法を見出した。
【発明の効果】
【０００６】  フレームを二つ折りに折畳んだ際に結束具で固定され、バラバラにならないため、持ち運びが容易になった。また、簡単に施錠することが可能となった。
【発明を実施するための形態】
【０００７】  以下に、本発明の折畳み自転車用フレームについて図面を参考にしながら詳細に説明する。
【０００８】［実施形態１］
図１より図６は実施形態１の説明図である。
折畳み自転車フレームの連結部２の前部または後部のどちらか片方に結束ロッド格納筒に収納し可動する結束ロッド４を設け、もう片方に孔を有した結束ロッド受け部８を設け、二つ折りに折畳んだ際にロッドの取っ手５を引き上げながら前後の結束具を重ね合わせ、結束ロッド４を受け部８の孔９に挿入し、固定する。
【０００９】  結束具は、フレームの形状により、前フレーム１と後ろフレーム３が適切に重なり合う位置であれば前フレーム１および後ろフレーム３のどの位置でもよく、孔９のある結束ロッド受け部８をサドル下の立パイプに設けてもよい。
【００１０】  結束ロッド４の下方先端に丸みを持たせ、孔９のある結束ロッド受け部８の先端を下方に向けて傾斜を設けることで、折畳む際、前後の結束具を重ね合わせる動作のみで結束ロッド４の取っ手５を引き上げなくても自動的に結束ロッド４が傾斜に沿って引き上げられ、スプリング７の作用で戻され、結束ロッド受け部８の孔９に自動的に挿入され結束された状態となる。
【００１１】［実施形態２］
図７より図１０は実施形態２の説明図である。
折畳み自転車フレームの連結部１２の前部または後部のどちらか片方に結束ロッド（横向き）１４を設け、もう片方に孔１９を有した結束ロッド受け部１８を設け、その受け部に施錠装置を施し、二つ折りに折畳んだ際に結束ロッド１４が結束ロッド受け部１８の孔に挿入されると施錠装置が作動し、キーにて開錠しない限り結束ロッド１４が抜けなくなり、施錠された状態になる。
【００１２】  結束具は、フレームの形状により、前フレーム１１と後ろフレーム１３が適切に重なり合う位置であれば、前フレーム１１及び後ろフレーム１３のどの位置でもよく、孔１９のある結束ロッド受け部１８をサドル下の立パイプに設けてもよい。
【００１３】  実施方法２の施錠装置は、二輪車用のケーブル錠等に見られる錠前の本体と同様の機構であり、結束ロッド１４が結束ロッド受け部１８の孔１９に挿入されると、内部の留め具が結束ロッド１４の溝に入り込み、施錠状態となる。開錠する際は、キーをキーシリンダー２０の鍵穴に差込み、回転させることにより内部の留め具が外れ、結束ロッド１４を結束ロッド受け部１８より抜くことができる。
【図面の簡単な説明】
【図１】本発明実施形態１の折畳み自転車用フレーム結束具の側面図である。
【図２】本発明実施形態１の折畳み自転車用フレーム結束時の側面図である。
【図３】本発明実施形態１の折畳み自転車用フレーム結束具の展開平面図である。
【図４】本発明実施形態１の折畳み自転車用フレーム結束時の平面図である。
【図５】本発明実施形態１の折畳み自転車用フレーム結束具の斜視図である。
【図６】本発明実施形態１の折畳み自転車用フレームの側面全体図である。
【図７】本発明実施形態２の折畳み自転車用フレーム結束具の側面図である。
【図８】本発明実施形態２の折畳み用自転車フレーム結束具の展開平面図である。
【図９】本発明実施形態２の折畳み自転車フレーム結束時の平面図である。
【図１０】本発明実施形態２の折畳み自転車フレーム結束具の斜視図である。
【符号の説明】
１、１１  前フレーム
２、１２  連結部
３、１３  後ろフレーム
４、１４  結束ロッド
５        結束ロッド取っ手
６        結束ロッド格納筒
７        スプリング
８、１８  結束ロッド受け部
９、１９  挿通孔
２０      キーシリンダー
【図１】
2004352241.tif 000003
【図２】
2004352241.tif 000004
【図３】
2004352241.tif 000005
【図４】
2004352241.tif 000006
【図５】
2004352241.tif 000007
【図６】
2004352241.tif 000008
【図７】
2004352241.tif 000009
【図８】
2004352241.tif 000010
【図９】
2004352241.tif 000011
【図１０】
2004352241.tif 000012
【手続補正書】
【提出日】平成16年7月23日(2004.7.23)
【手続補正１】
【補正対象書類名】特許請求の範囲
【補正対象項目名】全文
【補正方法】変更
【補正の内容】
【特許請求の範囲】
【請求項１】
折り畳んだ際に折り畳んだフレームがワンタッチで簡単に結束されると同時に結束状態で自動的に施錠される結束装置を有した折り畳み自転車用フレーム。
【手続補正２】
【補正対象書類名】明細書
【補正対象項目名】全文
【補正方法】変更
【補正の内容】
【発明の詳細な説明】
【技術分野】
【０００１】本発明は、折り畳んだ際に折り畳んだフレームがワンタッチで簡単に結束されると同時に結束状態で自動的に施錠される結束装置を有した折り畳み自転車用フレームに関する。
【背景技術】
【０００２】折り畳み自転車は、前フレームを後ろフレームに重ね合わせるように二つに折り畳む方式もしくは縦に折り畳む方式等があり、折り畳んだ状態を維持するためにフックおよびレバーなどの係合維持装置が設けられているものがある（例えば、参考文献１〜４を参考）。
【参考文献１】
特開２００３−２３７６６９
【参考文献２】
登実第３０９４０６０
【参考文献３】
特開昭５８−１０１８８６
【参考文献４】
登実第３０７５７０８
【発明の開示】
【発明が解決しようとしている課題】
【０００３】折り畳み自転車の中には、結束状態を維持する係合維持装置を設けられているものがあるが、結束状態で施錠できるものがなかった。一般に、折り畳み自転車は車輪が小径であるため、フレームに錠装置が施しにくく、また、折り畳んだ状態より簡単に乗車使用状態にできるため、いたずらや乗り逃げ等の心配があった。
【０００４】本発明は、折り畳んだ際に折り畳んだフレームがワンタッチで簡単に結束されると同時に結束状態で自動的に施錠される結束装置を有した折り畳み自転車用フレームの提供を目的とする。
【課題を解決するための手段】
【０００５】本発明は、折り畳み自転車用フレームに錠装置を兼ねた結束装置を設け、折り畳んだフレームがワンタッチで簡単に結束されると同時に自動的に施錠される方法を見出した。
【発明の効果】
【０００６】フレームを折り畳んだ際、折り畳んだフレームがワンタッチで簡単に結束されると同時に結束状態で自動的に施錠されるため、折り畳んだ際に扱いやすく、また折り畳んだ状態にしておけば自動的に施錠されているため、いたずらや乗り逃げが防止できる。
【発明を実施するための形態】
【０００７】以下に、本発明の折り畳み自転車用フレームについて、図面を参考にしながら詳細に説明する。
【０００８】フレームの連結部の前部又は後部のどちらか片方に結束用ロッドを設け、もう片方に孔を有した結束用ロッドの受け部を設け、受け部に施錠装置を施し、折り畳んだ際に結束用ロッドが受け部の孔に挿入されると、施錠装置の留め具がロッドの溝に掛かり、自動的に施錠状態となり、キーにて開錠しない限り、結束用ロッドは抜けない。
【０００９】結束装置は、フレームの形状により、折り畳んだ際に適切に重なる位置であれば前フレームと後ろフレームのどの位置でもよい。
【００１０】結束状態での施錠を解除する場合は、キーをキーシリンダーに挿し込むと、キーが合っていればキーシリンダーを回転させることができ、回転させるとその延長上に係着された開錠用回転軸が回転し、留め具が外れ、開錠状態となり、フレームを乗車使用状態に組み立てることができる。
【図面の簡単な説明】
【図１】本発明の折り畳み自転車用フレームの結束装置の側面図である。
【図２】本発明の折り畳み自転車用フレームの結束装置の平面展開図である。
【図３】本発明の折り畳み自転車用フレームの結束装置の結束時（施錠時）の平面図である。
【図４】本発明の折り畳み自転車用フレームの結束装置の斜視図である。
【図５】本発明の折り畳み自転車用フレームの側面図である。
【図６】本発明の折り畳み自転車用フレームの折り畳み時の側面図である。
【符号の説明】
１．前フレーム
２．連結部
３．後ろフレーム
４．結束用ロッド
５．結束用ロッド受け部
６．孔
７．キーシリンダー
８．キー
【手続補正３】
【補正対象書類名】図面
【補正対象項目名】全図
【補正方法】変更
【補正の内容】
【図１】
2004352241.tif 000013
【図２】
2004352241.tif 000014
【図３】
2004352241.tif 000015
【図４】
2004352241.tif 000016
【図５】
2004352241.tif 000017
【図６】
2004352241.tif 000018